(57)【要約】【課題】  コンピュータを用いた自動取引装置等の装置において、当該コンピュータを構成する制御装置のファームウェアから基本ソフトを導入する際の操作誤りを抑制する。【解決手段】  本発明は、コンピュータを用いて構成された自動取引装置等の装置におけるコンピュータを構成する制御装置に関する。そして、本発明の制御装置は、ストレージデバイスに接続する手段と、ストレージデバイスに基本ソフトをインストールするためのインストールプログラムが記録されたデータ記録媒体にアクセスする手段と、データ記録媒体に記録されたインストールプログラムを起動するファームウェアとを備え、ファームウェアには、複数の起動モードから、データ記録媒体に記録されたインストールプログラムを起動する起動モードを選択する手段と、選択された起動モードで、データ記録媒体に記録されたインストールプログラムを起動する処理を行う手段とを有することを特徴とする。【選択図】      図１
2018036717.tif 000002
【特許請求の範囲】
【請求項１】
コンピュータを構成するデバイスを制御する制御装置において、
ストレージデバイスに接続するストレージ接続手段と、
前記ストレージデバイスに基本ソフトをインストールするためのインストールプログラムが記録されたデータ記録媒体にアクセスするためのアクセス手段と、
前記データ記録媒体に記録されたインストールプログラムを起動するファームウェアとを備え、
前記ファームウェアには、
複数の起動モードから、前記データ記録媒体に記録されたインストールプログラムを起動する起動モードを選択する選択手段と、
前記選択手段で選択された起動モードで、前記データ記録媒体に記録されたインストールプログラムを起動する処理を行う起動処理手段とを有する
ことを特徴とする制御装置。
【請求項２】
前記選択手段は、前記ストレージデバイスの容量に応じて、起動モードを選択することを特徴とする請求項１に記載の制御装置。
【請求項３】
前記選択手段は、前記ストレージデバイスの容量が閾値以上である場合に、第１の起動モードを選択し、前記ストレージデバイスの容量が閾値未満である場合に、第２の起動モードを選択することを特徴とする請求項２に記載の制御装置。
【請求項４】
前記選択手段は、前記データ記録媒体に記録されたインストールプログラムが対応する起動モードに応じて、起動モードを選択することを特徴とする請求項１に記載の制御装置。
【請求項５】
前記選択手段は、前記データ記録媒体に記録されたインストールプログラムが第１の起動モードに対応する場合に第１の起動モードを選択し、前記データ記録媒体に記録されたインストールプログラムが第１の起動モードに対応しない場合には第２の起動モードを選択することを特徴とする請求項４に記載の制御装置。
【請求項６】
前記選択手段は、前記ストレージデバイスの容量、及び前記データ記録媒体に記録されたインストールプログラムが対応する起動モードを考慮して起動モードを選択することを特徴とする請求項１に記載の制御装置。
【請求項７】
前記選択手段は、
前記ストレージデバイスの容量が閾値以上である場合に、第１の起動モードを選択し、
前記ストレージデバイスの容量が閾値未満である場合、前記データ記録媒体に記録されたインストールプログラムが第１の起動モードに対応するか否かを確認する確認処理を行い、
前記確認処理で前記データ記録媒体に記録されたインストールプログラムが第１の起動モードに対応すると確認された場合、第１の起動モード又は第２の起動モードのいずれかの選択を受け付ける受付処理を行い、
前記受付処理で第１の起動モードが選択された場合に第１の起動モードを選択し、前記受付処理で第２の起動モードが選択された場合には第２の起動モードを選択する
ことを特徴とする請求項６に記載の制御装置。
【請求項８】
取引操作を受け付ける取引受付部と、前記取引受付部を制御する制御部とを備える自動取引装置において、
前記制御部はコンピュータを用いて構成されており、
前記コンピュータは、前記コンピュータを構成するデバイスを制御する制御装置を備え、
前記制御装置として、請求項１〜７のいずれかに記載の制御装置を適用したこと
を特徴とする自動取引装置。
【発明の詳細な説明】
【技術分野】
【０００１】
本発明は、制御装置及び自動取引装置に関し、例えば、金融機関等の取引で用いられる自動取引装置（ＡＴＭ：Ａｕｔｏｍａｔｅｄ  Ｔｅｌｌｅｒ  Ｍａｃｈｉｎｅ）を構成する制御部に搭載されたストレージデバイスの設定に適用し得る。
【背景技術】
【０００２】
従来、金融機関等の取引で用いられる自動取引装置（ＡＴＭ）の制御部には、通常、ＰＣ等のコンピュータに種々の取引処理や制御処理を行うアプリケーションプログラムをインストールしたものが適用される。
【０００３】
従来のＰＣは、通常、マザーボードに、ＣＰＵ、チップセット、メモリ、ストレージデバイス等の種々のデバイス（ハードウェア）を搭載（オンボード又は外部接続インタフェースにより接続）した構成となっている。
【０００４】
そして、マザーボードには、通常、各デバイスの制御や自己診断、基本システム（ＯＳ）の起動等を行うためのファームウェア（例えば、ＲＯＭやフラッシュメモリ等に書き込まれたプログラム）が組み込まれている。
【０００５】
以前は、ＰＣ等のマザーボードに搭載されるファームウェアとしてはＢＩＯＳ（Ｂａｓｉｃ  Ｉｎｐｕｔ／Ｏｕｔｐｕｔ  Ｓｙｓｔｅｍ）に基づくシステムが主流であったが、近年、ＢＩＯＳに変わるファームウェアとしてＵＥＦＩ（Ｕｎｉｆｉｅｄ  Ｅｘｔｅｎｓｉｂｌｅ  Ｆｉｒｍｗａｒｅ  Ｉｎｔｅｒｆａｃｅ）ファームウェアが導入され、主流となりつつある。従来ＢＩＯＳファームウェアで行っていたハードウェアの制御や自己診断、ＯＳの起動はＵＥＦＩファームウェアで行うことができる。
【０００６】
ＵＥＦＩファームウェアの利点の一つとして、２．２ＴＢ（２．２＊１０１２Ｂｙｔｅ）以上の大容量ストレージデバイスに対応した、ＧＰＴ（ＧＵＩＤ  Ｐａｒｔｉｔｉｏｎ  Ｔａｂｌｅ）と呼ばれるパーティション設定方式が利用できる点である。従来のＰＣでは、ＧＰＴを利用すると、ストレージデバイス上に２．２ＴＢ以上のパーティションを設定することが出来る。従来のＢＩＯＳでは、パーティション設定方式としてＭＢＲ（Ｍａｓｔｅｒ  Ｂｏｏｔ  Ｒｅｃｏｒｄ）と呼ばれるパーティション設定方式が利用されており、これは２．２ＴＢ以下のパーティションサイズにしか対応していない。
【０００７】
従来のコンピュータで、ＧＰＴパーティションが設定されたストレージデバイスの交換や複製を行った際に、正常に当該ストレージデバイスからのＯＳ起動等をさせるための技術として特許文献１、２の記載技術がある。特許文献１には、従来のコンピュータでＧＰＴパーティションが設定されたストレージデバイスを交換した際に、交換前後で異なるＯＳが記録されている場合にＯＳが起動出来ない課題を解決する技術が記載されている。また、特許文献２には、従来のコンピュータで、容量違いのストレージデバイス（ＧＰＴパーティションが設定されたストレージデバイス）のデータ複製を行う際に、一部のデータ書込位置がずれる課題を解決するために、複製元と複製先で同じ容量のパーティションを構成することについて記載されている。
【先行技術文献】
【特許文献】
【０００８】
【特許文献１】国際公開ＷＯ２０１３／０４６３３４号公報
【特許文献２】特開２０１３−２３２０７５号公報
【発明の概要】
【発明が解決しようとする課題】
【０００９】
ところで、ＵＥＦＩファームウェアでは、ＭＢＲのみに対応した古いＯＳとの互換性を保つため、ＭＢＲパーティションからの起動を許容する起動モード（以下、「レガシー起動モード」と呼ぶ）と、ＧＰＴパーティションからの起動を行う起動モード（以下、「ＵＥＦＩ起動モード」と呼ぶ）の両方に対応したものがある。
【００１０】
従来のレガシー起動モードにも対応したＵＥＦＩファームウェアを搭載したＰＣでは、ストレージデバイスに新規にＯＳをインストールする際に、インストール用のＤＶＤメディアやＵＳＢメモリなどからインストーラを起動する。この際、従来のレガシー起動モードにも対応したＵＥＦＩファームウェアを搭載したＰＣでは、パーティションの設定やＯＳのインストーラ起動時に、オペレータがＵＥＦＩ起動モードとレガシー起動モードのいずれかを選択してインストールする操作が必要となる。
【００１１】
しかしながら、従来のレガシー起動モードにも対応したＵＥＦＩファームウェアを搭載したＰＣに、正しく設計通りの形式のパーティション及びＯＳのインストールを行うには、オペレータ（又はオペレータが使用するマニュアルの作成者）が、レガシー起動モードとＵＥＦＩ起動モードの技術的背景等を理解している必要がある。オペレータが技術的背景を理解していない場合、間違った起動モードで、間違ったパーティションの設定が行われる等のミスが発生する可能性がある。例えば、２．２ＴＢ以上の大容量ストレージデバイスにレガシー起動モードでＯＳインストーラを起動してＯＳをインストールすると、ＭＢＲパーティションが選択されるため、意図せずに２．２ＴＢ以下の容量にパーティションが分割されてしまう可能性がある。
【００１２】
以上のような問題に鑑みて、コンピュータを用いた装置（例えば、自動取引装置）において、当該コンピュータを構成する制御装置（例えば、ＰＣのマザーボードやべアボーン）のファームウェアから基本ソフト（例えば、ＯＳ）を導入する際の操作誤りを抑制することが望まれている。
【課題を解決するための手段】
【００１３】
第１の本発明は、コンピュータを構成するデバイスを制御する制御装置において、（１）ストレージデバイスに接続するストレージ接続手段と、（２）前記ストレージデバイスに基本ソフトをインストールするためのインストールプログラムが記録されたデータ記録媒体にアクセスするためのアクセス手段と、（３）前記データ記録媒体に記録されたインストールプログラムを起動するファームウェアとを備え、（４）前記ファームウェアには、（４−１）複数の起動モードから、前記データ記録媒体に記録されたインストールプログラムを起動する起動モードを選択する選択手段と、（４−２）前記選択手段で選択された起動モードで、前記データ記録媒体に記録されたインストールプログラムを起動する処理を行う起動処理手段とを有することを特徴とする。
【００１４】
第２の本発明は、取引操作を受け付ける取引受付部と、前記取引受付部を制御する制御部とを備える自動取引装置において、前記制御部はコンピュータを用いて構成されており、前記コンピュータは、前記コンピュータを構成するデバイスを制御する制御装置を備え、前記制御装置として、第１の本発明の制御装置を適用したことを特徴とする。
【発明の効果】
【００１５】
本発明によれば、コンピュータを用いた自動取引装置等の装置において、当該コンピュータを構成する制御装置のファームウェアから基本ソフトを導入する際の操作誤りを抑制することができる。
【図面の簡単な説明】
【００１６】
【図１】第１の実施形態に係るマザーボード（制御装置）に搭載されるファームウェアの機能的構成について示したブロック図である。
【図２】第１の実施形態に係る自動取引装置（ＡＴＭ）の機能的構成について示したブロック図である。
【図３】第１の実施形態に係る制御部の機能的構成について示したブロック図である。
【図４】第１の実施形態に係る制御部の動作について示したフローチャートである。
【図５】第２の実施形態に係る制御部の動作について示したフローチャートである。
【図６】第３の実施形態に係る制御部の動作について示したフローチャートである。
【図７】第３の実施形態に係る制御が表示する操作画面の構成例について示した説明図である。
【発明を実施するための形態】
【００１７】
（Ａ）第１の実施形態
以下、本発明による制御装置及び自動取引装置の第１の実施形態を、図面を参照しながら詳述する。第１の実施形態では、本発明の制御装置を、自動取引装置の制御部（コンピュータ）を構成するマザーボードに適用した例について説明する。
【００１８】
（Ａ−１）第１の実施形態の構成
図２は、第１の実施形態の自動取引装置１の機能的構成及び周辺装置の接続構成について示したブロック図である。
【００１９】
自動取引装置１は、取引処理を行う顧客の操作に応じて、当該顧客との取引処理（例えば、当該顧客の口座からの現金の出金等）を行うものである。
【００２０】
自動取引装置１は、制御部１０、取引受付部としての操作表示部２０、カード処理部３０、紙幣入出金部４０、硬貨入出金部５０、及びレシート印字部６０を有している。
【００２１】
制御部１０は、自動取引装置１の各部の動作を制御する機能や、自動取引装置１の制御に必要な種々のデータを記録する機能を担っている。
【００２２】
制御部１０は、例えば、コンピュータ（プロセッサ等を含むプログラムの実行構成）にＯＳや当該ＯＳ上で動作するアプリケーション（自動取引装置１の各要素を制御して顧客と取引処理等を行う取引プログラムを含む）等をインストールすることにより実現することができる。制御部１０の詳細構成については後述する。
【００２３】
操作表示部２０は、顧客とのオペレータインタフェースを構成するデバイスであり、例えば、タッチパネルディスプレイ（タッチパネル付の液晶ディスプレイ）やハードウェアキーを用いて構成することができる。
【００２４】
カード処理部３０は、顧客から挿入されたカード（キャッシュカード）を処理する機能を担っている。
【００２５】
紙幣入出金部４０は、制御部１０の制御に応じて、顧客から入金された紙幣を収納する機能と、収納されている紙幣を顧客に出金する機能を担っている。
【００２６】
硬貨入出金部５０は、制御部１０の制御に応じて、顧客から入金された硬貨を収納する機能と、収納されている硬貨を顧客に出金する機能を担っている。
【００２７】
レシート印字部６０は、制御部１０の制御に応じて、当該自動取引装置１で行われた取引結果について用紙に印字して排出を行う機能を担っている。
【００２８】
図２では、自動取引装置１の構成の一例について示したが、制御部１０以外の構成については、種々の自動取引装置の構成を適用することができる。
【００２９】
次に、制御部１０の詳細構成について、図３を用いて説明する。
【００３０】
図３は、制御部１０の構成例について示したブロック図である。
【００３１】
図３に示すように、この実施形態の制御部１０は、ハードウェアとしてＰＣ（コンピュータ）を用いた構成となっている。
【００３２】
図３に示す制御部１０は、マザーボード１００（この実施形態の制御装置）を中心として構成されたＰＣである。
【００３３】
図３に示すマザーボード１００には、ＣＰＵ１０１、ＲＡＭとしてのＤＩＭＭ（Ｄｕａｌ  Ｉｎｌｉｎｅ  Ｍｅｍｏｒｙ  Ｍｏｄｕｌｅ）１０２、ＦｌａｓｈＲＯＭ１０３、シリアルインタフェース１０４、ビデオインタフェース１０５、及びＵＳＢインタフェース１０６が搭載されている。
【００３４】
ＦｌａｓｈＲＯＭ１０３は、マザーボード１００全体を制御するための基本的なファームウェア６００（プログラム）が書き込まれている。なお、マザーボード１００では、ＦｌａｓｈＲＯＭ１０３に替えて、ＥＥＰＲＯＭ等のその他の不揮発メモリを適用するようにしてもよい。
【００３５】
シリアルインタフェース１０４は、ストレージデバイスを接続するためのインタフェースである。シリアルインタフェース１０４としては、例えば、ＳＡＴＡ（Ｓｅｒｉａｌ  ＡＴＡ）等の種々のインタフェースを適用することができる。なお、マザーボード１００においてストレージデバイスを接続するインタフェースの構成については限定されないものであり、例えば、ＵＳＢインタフェース１０６を用いてストレージデバイスに接続するようにしてもよいし、ＰＣＩ  Ｅｘｐｒｅｓｓ等の他のインタフェースを用いてストレージデバイスを接続するようにしてもよい。
【００３６】
この実施形態のシリアルインタフェース１０４には、ＨＤＤ（Ｈａｒｄ  Ｄｉｓｋ  Ｄｒｉｖｅ）４００と、挿入されたＤＶＤメディアＭのデータ読み込み等を行うＤＶＤドライブ５００が接続されている。
【００３７】
制御部１０のマザーボード１００（この実施形態の制御装置）では、シリアルインタフェース１０４により、ＯＳをインストールする対象のストレージデバイスとしてのＨＤＤ４００と接続するためのストレージ接続手段が構成されている。
【００３８】
図３に示すＨＤＤ４００には、１つのパーティション４１０が設定されており、パーティション４１０（ＭＢＲ又はＧＰＴのパーティション）にＯＳ４１１がインストールされている。図３に示すＨＤＤ４００には、インストールされたＯＳ４１１上に、取引処理等を行うアプリケーション４１２がインストールされている。また、制御部１０では、ＨＤＤ４００のパーティション４１０内（パーティション４１０の空き領域）に、取引処理等で用いられる各種データを記憶するためのデータ記憶領域４１３が確保されている。制御部１０では、ＤＶＤメディアＭに記録されたＯＳインストーラを起動（ＵＥＦＩ起動モード又はレガシー起動モードのいずれかの起動モードで起動）させ、当該ＯＳインストーラにより、パーティション４１０の設定やＯＳ４１１のインストールが可能となっている。
【００３９】
なお、この実施形態では、ＯＳのインストール対象となるストレージデバイスとしてＨＤＤ４００を用いているが、ＳＳＤ（Ｓｏｌｉｄ  Ｓｔａｔｅ  Ｄｒｉｖｅ）等のその他の種類のストレージデバイスに置き換えるようにしてもよい。また、この実施形態の制御部１０では、ＤＶＤドライブ５００に挿入されたＤＶＤメディアＭをＯＳのインストールメディアとして適用しているが、ＣＤ（ＣＤドライブ）やＢｌｕ−Ｒａｙ（登録商標）ディスク（Ｂｌｕ−ｒａｙ（登録商標）ドライブ）、ＵＳＢメモリ等をＯＳのインストールメディアとして適用するようにしてもよい。
【００４０】
以上のように、制御部１０のマザーボード１００（この実施形態の制御装置）では、シリアルインタフェース１０４及びＤＶＤドライブ５００により、ＯＳインストーラ（ＯＳのインストールプログラム）が記録されたインストールメディア（この実施形態ではＤＶＤメディアＭ；以下、「データ記録媒体」とも呼ぶ）にアクセスするためのアクセス手段が構成されている。
【００４１】
ビデオインタフェース１０５は、表示部２００（ディスプレイ）を接続させるためのインタフェースである。ビデオインタフェース１０５としては、例えば、ＶＧＡ（Ｖｉｄｅｏ  Ｇｒａｐｈｉｃｓ  Ａｒｒａｙ）やＤＶＩ（Ｄｉｇｉｔａｌ  Ｖｉｓｕａｌ  Ｉｎｔｅｒｆａｃｅ）等の種々のビデオインタフェースを適用することができる。
【００４２】
図３に示すマザーボード１００では、ＵＳＢインタフェース１０６は、入力部３００を接続するためのインタフェースとして用いられている。入力部３００としては、例えば、キーボードやマウス等の入力デバイスを適用することができる。
【００４３】
図３では、ＰＣ（コンピュータ）を用いて制御部１０を構成し、ストレージデバイス（ＨＤＤ４００）にＯＳをインストールするために必要な構成のみを図示しているが、制御部１０（マザーボード１００）の詳細なインタフェースの構成等については限定されないものである。実際には、制御部１０には、自動取引装置１を構成する各デバイス（操作表示部２０、カード処理部３０、紙幣入出金部４０、硬貨入出金部５０、及びレシート印字部６０等）を接続するためのインタフェース等を備えているが、図３ではそれらのインタフェースについて図示を省略している。また、図３に図示した表示部２００及び入力部３００については、顧客向けの操作表示部２０とデバイスを共用するようにしてもよい。
【００４４】
なお、図３に示すマザーボード１００において、ＣＰＵ１０１、及びＤＩＭＭ１０２（ＲＡＭ）は、図示しないソケットを用いて脱着可能な構成としてもよいし、予めオンボードで組み込まれた構成（いわゆるべアボーンの構成）としてもよい。言い換えると、本発明の制御装置は、マザーボード１００単体（ＣＰＵ１０１やＤＩＭＭ１０２等が取り外された状態）として実現するようにしてもよいし、マザーボード１００にＣＰＵ１０１及びＤＩＭＭ１０２等が搭載された構成（例えば、いわゆるべアボーンの構成）として実現するようにしてもよい。
【００４５】
次に、ＦｌａｓｈＲＯＭ１０３にインストールされたファームウェア６００の構成例について図１を用いて説明する。
【００４６】
図１は、ファームウェア６００の機能的構成の例について示したブロック図である。
【００４７】
ファームウェア６００は、基本的にＵＥＦＩファームウェア６１０（ＵＥＦＩファームウェア）により構成されている。そして、ファームウェア６００には、ＵＥＦＩファームウェア６１０から、ＢＩＯＳの一部の機能に対応（上位互換）させるためのＣＳＭ（Ｃｏｍｐａｔｉｂｉｌｉｔｙ  Ｓｕｐｐｏｒｔｅｄ  Ｍｏｄｕｌｅ）ファームウェア６２０も組み込まれている。
【００４８】
ＵＥＦＩファームウェア６１０は、制御部１０の電源がＯＮになった際に起動する。また、ＣＳＭファームウェア６２０は、ＵＥＦＩファームウェア６１０の制御に応じて起動する。
【００４９】
ＣＳＭファームウェア６２０には、ＢＩＯＳの一部の機能を実現するための機能が組み込まれている。この実施形態のＣＳＭファームウェア６２０は、少なくとも、レガシー起動モードでＯＳインストーラを起動（例えば、ＤＶＤドライブ５００に挿入されたＤＶＤメディアＭのＯＳインストーラ（インストールプログラム）を起動）させる処理を行うレガシー起動処理部６２１を有している。
【００５０】
ＵＥＦＩファームウェア６１０は、少なくとも、ＵＥＦＩファームウェア６１０が行う処理の全体を制御するＵＥＦＩ制御処理部６１１と、ＵＥＦＩ起動モードでＯＳインストーラを起動（例えば、ＤＶＤドライブ５００に挿入されたＤＶＤメディアＭのＯＳインストーラ（ＯＳインストールプログラム）を起動）させる処理を行うＵＥＦＩ起動処理部６１２と、レガシー起動処理部６２１の機能のＯＮ／ＯＦＦ（有効／無効）を管理するスイッチ６１３とを有している。
【００５１】
ＵＥＦＩ制御処理部６１１は、操作画面（ＧＵＩ画面またはＣＵＩ画面）を用いてオペレータへの情報出力及び操作を受け付ける処理を行う。この実施形態では、ＵＥＦＩ制御処理部６１１は、表示部２００から操作画面（ＧＵＩ画面またはＣＵＩ画面）を表示して、入力部３００から操作画面の操作を受け付ける。そして、ＵＥＦＩ制御処理部６１１は、オペレータの操作や各デバイスの状態等に応じて、各デバイスやファームウェア６００内の各構成要素（ＣＳＭファームウェア６２０等）に対して制御する処理を行う。
【００５２】
スイッチ６１３には、レガシー起動処理部６２１をＯＮ（有効）とするフラグ情報（例えば、「１」）又は、レガシー起動処理部６２１をＯＦＦ（無効）とするフラグ情報（例えば、「０」）が登録される。ＵＥＦＩ制御処理部６１１は、スイッチ６１３の設定値に従った処理を行う。また、ＵＥＦＩ制御処理部６１１では、常時ＵＥＦＩモードでのＯＳインストーラ起動の制御が可能であるものとする。したがって、スイッチ６１３の設定値がＯＮの場合、ＵＥＦＩ制御処理部６１１は、レガシーモード又はＵＥＦＩモードの両方でＯＳインストーラ起動の制御が可能となる。
【００５３】
一般的にＵＥＦＩ起動モードに対応したマザーボードやべアボーンでは、通常使用されないＣＳＭによるレガシー起動モードは無効（ＯＦＦ）に設定されている。これに対して、ＡＴＭ等の専用装置では、多様なユーザのニーズや、長期間の製造／保守に対応する必要がるため、一般的に、ＣＳＭによるレガシー起動モードが有効（ＯＮ）に設定される。この実施形態の制御部１０は、自動取引装置１に組み込まれるものであるため、ＣＳＭファームウェア６２０のスイッチ部６２２はＯＮ（有効）に設定されているものとする。
【００５４】
ＵＥＦＩファームウェア６１０のＵＥＦＩ制御処理部６１１は、起動すると、各デバイス（ＣＰＵ１０１、ＤＩＭＭ１０２、シリアルインタフェース１０４、ビデオインタフェース１０５、ＵＳＢインタフェース１０６、表示部２００、入力部３００、ＨＤＤ４００等）の初期設定（認識処理）、自己診断等を行った後、ストレージデバイスにアクセス（この実施形態では、ＨＤＤ４００）してＯＳの起動を試みる。例えば、ＵＥＦＩ制御処理部６１１は、ＨＤＤ４００にアクセスしてＯＳの起動を試みる。また、例えば、ＵＥＦＩ制御処理部６１１は、ＤＶＤドライブ５００にＯＳインストール用のＤＶＤメディアが挿入されていれば、当該ＤＶＤメディアＭのＯＳインストーラの起動を試みる。
【００５５】
（Ａ−２）第１の実施形態の動作
次に、以上のような構成を有する第１の実施形態の自動取引装置１を構成する制御部１０の動作を説明する。
【００５６】
図４は、第１の実施形態に係るＵＥＦＩ制御処理部６１１が、ＯＳインストーラの起動を開始する際の処理について示した説明図である。
【００５７】
ＵＥＦＩ制御処理部６１１が、ＯＳインストーラの起動開始を判断するタイミングは限定されないものである。ＵＥＦＩ制御処理部６１１は、例えば、制御部１０の起動時（例えば、電源ＯＮの時）に、ＤＶＤドライブ５００にＯＳインストーラが記録されたＤＶＤメディアＭが挿入されていた場合に、当該ＯＳインストーラの起動開始を判断する。そして、ＵＥＦＩ制御処理部６１１は、ＯＳインストーラの起動開始を判断すると、図４のフローチャートの処理によりＯＳインストーラの起動モードを選択し、選択した起動モードでＯＳインストーラを起動する制御処理を行う。また、ＵＥＦＩ制御処理部６１１は、オペレータの操作（ＵＥＦＩのＧＵＩ画面またはＣＵＩ画面に対する操作）に応じて、ＯＳインストーラの起動開始を判断するようにしてもよい。そして、この実施形態のＵＥＦＩ制御処理部６１１は、ＯＳインストーラの起動モードの選択をオペレータに操作させずに図４のフローチャートの処理により決定する。
【００５８】
ＵＥＦＩ制御処理部６１１は、ＯＳインストーラの起動を判断すると、まず、インストール対象となるストレージデバイス（この実施形態ではＨＤＤ４００）の容量をチェックする（Ｓ１０１）。
【００５９】
この実施形態では、ＯＳのインストール対象となるストレージデバイスはＨＤＤ４００だけであるため、ＨＤＤ４００が選択され、容量チェックが行われたものとする。制御部１０（マザーボード１００）に複数のストレージデバイスが接続されている場合には、ＵＥＦＩ制御処理部６１１は、所定のルールに従っていずれかのストレージデバイスを選択する。ＵＥＦＩ制御処理部６１１は、例えば、最も番号の小さいＩＤ（例えば、ＳＡＴＡ上のＩＤ）のストレージデバイスや、所定のＩＤのストレージデバイスを選択するようにしてもよい。また、ＵＥＦＩ制御処理部６１１は、例えば、最も容量の大きいストレージデバイスや、所定の容量のストレージデバイスを選択するようにしてもよい。
【００６０】
ＯＳインストール対象のストレージデバイス（この実施形態ではＨＤＤ４００）のストレージ容量のチェックが完了すると、ＵＥＦＩ制御処理部６１１は、ストレージデバイスの容量が閾値Ｔｈ以上であるか否かを判断する（Ｓ１０２）。
【００６１】
閾値Ｔｈの値については任意な値を設定可能であるが、例えば、ＭＢＲで設定可能な容量の上限を超える値（例えば、２．２ＴＢ以上の値）としてもよいし、ＭＢＲで設定可能な容量の上限以下の所定の値としてもよい。
【００６２】
そして、ストレージデバイスの容量が閾値Ｔｈ以上だった場合、ＵＥＦＩ制御処理部６１１は、ＵＥＦＩモードでのＯＳインストーラの起動を決定する。そして、ＵＥＦＩ制御処理部６１１は、ＵＥＦＩ起動処理部６１２を制御して、ＤＶＤドライブ５００に挿入されたＤＶＤメディアＭのＯＳインストーラをＵＥＦＩ起動モードで起動させる（Ｓ１０３）。これにより、制御部１０では、ＯＳインストーラがＵＥＦＩ起動モードで起動され、ＨＤＤ４００にＧＰＴパーティションが設定されることになる。
【００６３】
一方、ストレージデバイスの容量が閾値Ｔｈ未満だった場合、ＵＥＦＩ制御処理部６１１は、レガシーモードでのＯＳインストーラの起動を決定する。そして、ＵＥＦＩ制御処理部６１１は、ＣＳＭファームウェア６２０（レガシー起動処理部６２１）を制御して、ＤＶＤドライブ５００に挿入されたＤＶＤメディアＭのＯＳインストーラをレガシーモードで起動させる（Ｓ１０４）。これにより、制御部１０では、ＯＳインストーラがレガシー起動モードで起動され、ＨＤＤ４００にＭＢＲパーティションが設定されることになる。
【００６４】
以上のように、ファームウェア６００では、ＵＥＦＩ制御処理部６１１を含む構成により、ＯＳインストーラ（ＯＳのインストールプログラム）を起動する際の起動モードを選択する選択手段が実現されている。また、ファームウェア６００では、ＵＥＦＩ起動処理部６１２及びレガシー起動処理部６２１を含む構成により、ＵＥＦＩ制御処理部６１１（選択手段）で選択された起動モード（ＵＥＦＩ起動モード又はレガシー起動モード）でのＯＳインストーラの起動を行う起動処理手段が実現されている。
【００６５】
（Ａ−３）第１の実施形態の効果
第１の実施形態によれば、以下のような効果を奏することができる。
【００６６】
第１の実施形態の自動取引装置１（制御部１０）では、ＵＥＦＩ制御処理部６１１が自律的に適切なＯＳインストーラの起動モードを選択して、ＯＳインストーラを起動させる。これにより、第１の実施形態の自動取引装置１（制御部１０）では、オペレータの操作を要せずに適切な起動モードを選択するため、オペレータのミスにより間違った起動モードでＯＳインストーラが起動されることを抑制することができる。したがって、この実施形態の自動取引装置１（制御部１０）では、ＨＤＤ４００が２．２ＴＢ以上（閾値Ｔｈ以上）の容量であった場合、オペレータの操作を必要とせずに、ＨＤＤ４００に２．２ＴＢ以上のパーティションを利用できる。
【００６７】
例えば、ＨＤＤ４００が２．２ＴＢ以上の容量であった場合、レガシー起動モードでＯＳインストーラが起動されると、ＭＢＲでのパーティション設定が行われるため、ＨＤＤ４００で、利用できない領域が発生してしまう等の問題が発生する。また、ＨＤＤ４００の容量が２．２ＴＢ以上となっている場合、設計上はＧＰＴでパーティション設定することが想定されていると考えられるため、ＵＥＦＩ起動モードでＯＳインストーラを起動することが適切である。
【００６８】
特に自動取引装置では、通常、設置先のユーザ（例えば、自動取引装置を設置する金融機関ごと）の要望や既存の環境に応じたＯＳやＨＤＤを搭載することになる。さらに、近年ＨＤＤの大容量化と価格の低廉化が進んでおり、ＭＢＲの上限である２．２ＴＢ以上のＨＤＤが自動取引装置に実装される例も増えている。一方で、自動取引装置に搭載されるマザーボードについては、設置先のユーザごとに設計して製造するよりは、汎用的なものを製造する方が製造コストや部品の在庫管理コストを低減できる。そのため、この実施形態では、ＣＳＭファームウェア６２０（レガシー起動処理部６２１）をＯＮ（有効）とする設定を前提とした。しかしながら、ＣＳＭファームウェア６２０（レガシー起動処理部６２１）をＯＮ（有効）とすると、上述のように、自動取引装置１（制御部１０）にＯＳをインストールするオペレータの作業ミスが発生する可能性がある。特に、従来のＵＥＦＩファームウェアにおいて、レガシー起動モードとＵＥＦＩ起動モードの両方を有効として、Ｗｉｎｄｏｗｓ（登録商標）ＯＳのインストーラを起動する際、キーを押下するタイミングで起動モードが決定されるため、オペレータのミスが非常に発生しやすい構成となっている。そのため、第１の実施形態の自動取引装置１（制御部１０）では、ＵＥＦＩ制御処理部６１１が自律的に適切なＯＳインストーラの起動モードを選択して、ＯＳインストーラを起動させることで、顕著にオペレータの作業ミスを抑制することができる。このような自動取引装置１における特有の効果は、後述する第２、第３の実施形態においても同様に奏する。
【００６９】
（Ｂ）第２の実施形態
以下、本発明による制御装置及び自動取引装置の第２の実施形態を、図面を参照しながら詳述する。第２の実施形態では、本発明の制御装置を、自動取引の制御部（コンピュータ）を構成するマザーボードに適用した例について説明する。
【００７０】
（Ｂ−１）第２の実施形態の構成
第２の実施形態の自動取引装置１（制御部１０）の構成についても、上述の図１〜図３を用いて説明することができる。以下では、第２の実施形態の自動取引装置１（制御部１０）の構成について、第１の実施形態との差異を説明する。
【００７１】
第２の実施形態では、ＵＥＦＩ制御処理部６１１によるＯＳインストーラの起動モード決定処理が異なっている。
【００７２】
第１の実施形態のＵＥＦＩ制御処理部６１１は、ストレージデバイスの容量に応じてＯＳインストーラの起動モードの決定を行った。これに対して、第２の実施形態のＵＥＦＩ制御処理部６１１は、ＤＶＤドライブ５００に挿入されているＤＶＤメディアＭの内容に応じてＯＳインストーラの起動モードを決定する。具体的には、第２の実施形態のＵＥＦＩ制御処理部６１１では、ＤＶＤドライブ５００に挿入されているＤＶＤメディアＭに、ＵＥＦＩ起動モードに対応したＯＳインストーラ（ＯＳインストールプログラム）が含まれているか否かに応じて、ＯＳインストーラの起動モードを決定する。
【００７３】
例えば、ＵＥＦＩ起動モードに対応したＷｉｎｄｏｗｓＯＳ（バージョン「Ｖｉｓｔａ」、「７」、「８」、「８．１」、「１０」）のインストールメディアでは、「ｅｆｉ」という拡張子のついたファイルが「￥ｅｆｉ￥ｂｏｏｔ￥」というディレクトリに含まれている。したがって、ＵＥＦＩ制御処理部６１１は、ＷｉｎｄｏｗｓＯＳのインストーラを起動する際には、ＷｉｎｄｏｗｓＯＳのインストールメディア（この実施形態では、ＤＶＤメディアＭ）の「￥ｅｆｉ￥ｂｏｏｔ￥」のディレクトリを検索して「ｅｆｉ」という拡張子のファイル（＊．ｅｆｉ）が検出された場合、当該ＤＶＤメディアはＵＥＦＩ起動モードに対応したＯＳインストーラを含むものであると確認することができる。
【００７４】
ＷｉｎｄｏｗｓＯＳのインストールメディアでは、上述のようにファイル検索によりＵＥＦＩ起動モードに対応したインストールメディアであるか否かを確認することができるが、他のＯＳのインストールメディアであってもファイル構成に基づいて対応するＯＳインストーラの起動モード（ＵＥＦＩ起動モード又はレガシーモード）を確認することができる。
【００７５】
以上のように、ＵＥＦＩ制御処理部６１１は、インストールメディア（ＤＶＤドライブ５００に挿入されたＤＶＤメディアＭ）のファイル構成を参照することで、当該インストールメディアが対応するＯＳインストーラの起動モード（ＵＥＦＩ起動モード又はレガシー起動モード）を確認することができる。
【００７６】
（Ｂ−２）第２の実施形態の動作
次に、以上のような構成を有する第２の実施形態の自動取引装置１を構成する制御部１０の動作を説明する。
【００７７】
図５は、第２の実施形態に係るＵＥＦＩ制御処理部６１１が、ＯＳインストーラの起動を開始する際の処理について示した説明図である。
【００７８】
第２の実施形態に係るＵＥＦＩ制御処理部６１１は、ＯＳインストーラの起動を開始すると、まず、インストールメディア（ＤＶＤメディアＭ）のファイル構成をチェックし（Ｓ２０１）、当該インストールメディア（ＤＶＤメディアＭ）が、ＵＥＦＩ起動モードに対応しているか否かを確認する（Ｓ２０２）。
【００７９】
そして、インストールメディア（ＤＶＤメディアＭ）がＵＥＦＩ起動モードに対応している場合、ＵＥＦＩ制御処理部６１１は、ＵＥＦＩモードでのＯＳインストーラの起動を決定する。そして、ＵＥＦＩ制御処理部６１１は、ＵＥＦＩ起動処理部６１２を制御して、ＤＶＤドライブ５００に挿入されたＤＶＤメディアＭのＯＳインストーラ（ＵＥＦＩモードのＯＳインストーラ）を起動させる（Ｓ２０３）。
【００８０】
一方、インストールメディア（ＤＶＤメディアＭ）がＵＥＦＩ起動モードに対応していない場合、ＵＥＦＩ制御処理部６１１は、レガシーモードでのＯＳインストーラの起動を決定する。そして、ＵＥＦＩ制御処理部６１１は、ＣＳＭファームウェア６２０（レガシー起動処理部６２１）を制御して、ＤＶＤドライブ５００に挿入されたＤＶＤメディアＭのＯＳインストーラ（レガシーモードのＯＳインストーラ）を起動させる（Ｓ２０４）。
【００８１】
（Ｂ−３）第２の実施形態の効果
第２の実施形態によれば、第１の実施形態と比較して以下のような効果を奏することができる。
【００８２】
第２の実施形態の自動取引装置１（制御部１０）では、ＵＥＦＩ制御処理部６１１がインストールメディア（この実施形態ではＤＶＤメディアＭ）の内容（ファイル構成）に応じて、当該インストールメディアが対応する起動モードを判断し、その判断結果に応じてＯＳインストーラの起動モードを決定する。これにより、第２の実施形態の自動取引装置１（制御部１０）では、ストレージデバイス（この実施形態ではＨＤＤ４００）の容量にかかわらず、ＵＥＦＩ起動モードでのＯＳインストーラ起動が行われてＧＰＴパーティションが設定される。したがって、第２の実施形態の自動取引装置１（制御部１０）では、インストールメディアがＵＥＦＩ起動モードに対応する場合、オペレータの操作を必要とせずに、ＧＰＴパーティションを設定することができる。
【００８３】
（Ｃ）第３の実施形態
以下、本発明による制御装置及び自動取引装置の第３の実施形態を、図面を参照しながら詳述する。第３の実施形態では、本発明の制御装置を、自動取引の制御部（コンピュータ）を構成するマザーボードに適用した例について説明する。
【００８４】
（Ｃ−１）第３の実施形態の構成
第３の実施形態の自動取引装置１（制御部１０）の構成についても、上述の図１〜図３を用いて説明することができる。以下では、第３の実施形態の自動取引装置１（制御部１０）の構成について、第１及び第２の実施形態との差異を説明する。
【００８５】
第３の実施形態では、ＵＥＦＩ制御処理部６１１によるＯＳインストーラの起動モード決定処理が第１及び第２の実施形態と異なっている。
【００８６】
第１の実施形態のＵＥＦＩ制御処理部６１１は、ＯＳインストール対象となるストレージデバイスの容量に応じてＯＳインストーラの起動モードの決定を行った。また、第２の実施形態のＵＥＦＩ制御処理部６１１は、インストールメディア（ＤＶＤメディアＭ）が対応する起動モードに応じてＯＳインストーラの起動モードの決定を行った。
【００８７】
これに対して、第３の実施形態のＵＥＦＩ制御処理部６１１は、ストレージデバイスの容量と、インストールメディア（ＤＶＤメディアＭ）が対応する起動モードとを考慮して、ＯＳインストーラの起動モードを決定する。
【００８８】
具体的には、第３の実施形態のＵＥＦＩ制御処理部６１１は、ＯＳインストール対象のストレージデバイスの容量が閾値Ｔｈ以上（例えば、２．２ＴＢ以上）の場合は、ＵＥＦＩモードのＯＳインストーラを起動させる。
【００８９】
また、第３の実施形態のＵＥＦＩ制御処理部６１１は、ＯＳインストール対象のストレージデバイスの容量が閾値Ｔｈ未満の場合は、インストールメディア（ＤＶＤメディアＭ）の内容をチェックし、ＵＥＦＩ起動モードに対応していれば、ＯＳインストーラの起動モード（レガシーモード又はＵＥＦＩモード）をオペレータに選択させる処理を行う。オペレータからＯＳインストーラの起動モードの選択を受け付ける方式については限定されないものであり、例えば、ＧＵＩによる操作画面を用いた入力や、キャラクターベースのメニュー画面による入力（例えば、キーボード操作によるカーソル選択による入力）や、キーボードによるキー入力（例えば、「１」、「０」等の数字入力）等を適用することができる。
【００９０】
なお、第３の実施形態のＵＥＦＩ制御処理部６１１は、ＵＥＦＩモードでＯＳインストーラの起動に失敗した場合は、レガシーモードでＯＳインストーラを起動させる処理を行う。
【００９１】
（Ｃ−２）第３の実施形態の動作
次に、以上のような構成を有する第３の実施形態の自動取引装置１を構成する制御部１０の動作を説明する。
【００９２】
図６は、第３の実施形態に係るＵＥＦＩ制御処理部６１１が、ＯＳインストーラの起動を開始する際の処理について示した説明図である。
【００９３】
第３の実施形態に係るＵＥＦＩ制御処理部６１１は、インストール対象となるストレージデバイス（この実施形態ではＨＤＤ４００）の容量をチェックし（Ｓ３０１）、ストレージデバイスの容量が閾値Ｔｈ以上であるか否かを判断する（Ｓ３０２）。ＵＥＦＩ制御処理部６１１は、ストレージデバイスの容量が閾値Ｔｈ以上だった場合、ＵＥＦＩ起動モードでＯＳインストーラを起動すると判断して後述するステップＳ３０３に移行し、ストレージデバイスの容量が閾値Ｔｈ未満だった場合は後述するステップＳ３０４に移行する。
【００９４】
上述のステップＳ３０２で、ストレージデバイスの容量が閾値Ｔｈ未満と判断された場合、ＵＥＦＩ制御処理部６１１は、インストールメディア（ＤＶＤメディアＭ）のファイル構成をチェックし（Ｓ３０４）、当該インストールメディア（ＤＶＤメディアＭ）が、ＵＥＦＩ起動モードに対応しているか否かを確認する（Ｓ３０５）。ＵＥＦＩ制御処理部６１１は、インストールメディア（ＤＶＤメディアＭ）が、ＵＥＦＩ起動モードに対応している場合には後述するステップＳ３０６から動作し、インストールメディア（ＤＶＤメディアＭ）がＵＥＦＩ起動モードに対応していない場合には、レガシーモードでＯＳインストーラを起動すると決定して後述するステップＳ３０９に移行する。
【００９５】
上述のステップＳ３０５で、インストールメディア（ＤＶＤメディアＭ）がＵＥＦＩ起動モードに対応していると判断した場合、ＵＥＦＩ制御処理部６１１は、オペレータからＯＳインストーラの起動モード選択（ＵＥＦＩ起動モード又はレガシー起動モード）を受け付ける処理を行い（Ｓ３０６）、選択内容がＵＥＦＩ起動モードであったか否か（選択されたＯＳインストーラの起動モード）確認する（Ｓ３０７）。ＵＥＦＩ制御処理部６１１は、オペレータから選択された内容がＵＥＦＩ起動モードであった場合、ＵＥＦＩ起動モードでＯＳインストーラを起動すると判断して上述のステップＳ３０３に移行し、オペレータから選択された内容がレガシー起動モードだった場合には、レガシー起動モードでＯＳインストーラを起動すると判断して後述するステップＳ３０９に移行する。
【００９６】
ＵＥＦＩ制御処理部６１１は、例えば、図７に示すようなＧＵＩ画面（操作画面）を表示部２００に表示させて、オペレータからＯＳインストーラの起動モード選択（ＵＥＦＩ起動モード又はレガシー起動モード）を受け付けるようにしてもよい。
【００９７】
図７の操作画面では、ＵＥＦＩ起動モードの選択を受け付けるためのボタンＢ１０１と、レガシー起動モードの選択を受け付けるためのボタンＢ１０２とが配置されている。ＵＥＦＩ制御処理部６１１は、図７の操作画面で押下されたボタンに応じた起動モードを受け付ける。
【００９８】
上述のステップＳ３０２、又はＳ３０７で、ＵＥＦＩ起動モードでＯＳインストーラを起動すると判断した場合、ＵＥＦＩ制御処理部６１１は、ＵＥＦＩ起動処理部６１２を制御して、ＤＶＤドライブ５００に挿入されたＤＶＤメディアＭのＯＳインストーラ（ＵＥＦＩモードのＯＳインストーラ）を起動させ（Ｓ３０３）、ＵＥＦＩ起動処理部６１２により起動が成功（ＯＳインストーラが開始）したか否かを確認する（Ｓ３０８）。ＵＥＦＩ制御処理部６１１は、ＵＥＦＩ起動処理部６１２によるＵＥＦＩ起動モードでのＯＳインストーラの起動が成功した場合には、そのままＯＳインストーラの実行を継続させ、ＵＥＦＩ起動処理部６１２によるＵＥＦＩ起動モードでのＯＳインストーラの起動が失敗した場合には、レガシーモードでのＯＳインストーラ起動を行うと判断し、後述するステップＳ３０９に移行する。
【００９９】
例えば、ＤＶＤメディアＭに、３２ｂｉｔ用のＷｉｎｄｏｗｓＯＳのインストーラしか記録されていない場合、一般に当該ＤＶＤメディアＭはＵＥＦＩ起動モードに対応しない。したがって、ＵＥＦＩ起動処理部６１２が、当該ＤＶＤメディアＭのＯＳインストーラをＵＥＦＩ起動モードで起動しようとすると、起動に失敗することになる。
【０１００】
上述のステップＳ３０５、又はＳ３０７、Ｓ３０８で、レガシーモードでのＯＳインストーラ起動を行うと判断した場合、ＵＥＦＩ制御処理部６１１は、ＣＳＭファームウェア６２０（レガシー起動処理部６２１）を制御して、ＤＶＤドライブ５００に挿入されたＤＶＤメディアＭのＯＳインストーラ（レガシーモードのＯＳインストーラ）を起動させる（Ｓ３０９）。
【０１０１】
（Ｃ−３）第３の実施形態の効果
第３の実施形態によれば、第１及び第２の実施形態と比較して、以下のような効果を奏することができる。
【０１０２】
第３の実施形態のＵＥＦＩ制御処理部６１１は、ＯＳインストール対象のストレージデバイスの容量が閾値Ｔｈ以上の場合は、ＵＥＦＩモードのＯＳインストーラを起動させる。また、第３の実施形態のＵＥＦＩ制御処理部６１１は、ＯＳインストール対象のストレージデバイスの容量が閾値Ｔｈ未満の場合は、インストールメディア（ＤＶＤメディアＭ）の内容をチェックし、ＵＥＦＩ対応であれば、ＯＳインストーラの起動モード（レガシーモード又はＵＥＦＩモード）をオペレータに選択させる処理を行う。
【０１０３】
これにより、第３の実施形態の自動取引装置１（制御部１０）では、ＨＤＤ４００が閾値Ｔｈ以上（２．２ＴＢ以上）の容量であった場合、オペレータの操作を必要とせずに、ＨＤＤ４００に２．２ＴＢ以上のパーティションを利用できる。また、第３の実施形態の自動取引装置１（制御部１０）では、ＨＤＤ４００が閾値Ｔｈ未満（２．２ＴＢ未満）の容量であっても、インストールメディアがＵＥＦＩ起動モードに対応する場合、オペレータの選択に応じてＵＥＦＩ起動モード（ＧＰＴによるパーティション設定）又はレガシー起動モード（ＭＢＲによるパーティション設定）のうち適切な起動モード（パーティション設定）を選択することができる。
【０１０４】
（Ｄ）他の実施形態
本発明は、上記の各実施形態に限定されるものではなく、以下に例示するような変形実施形態も挙げることができる。
【０１０５】
（Ｄ−１）上記の実施形態では本発明の制御装置を、自動取引装置に適用する例について説明したが、その他の専用装置（例えば、自動販売機や自動券売機等のコンピュータを備える装置）や、一般的なコンピュータ（例えば、ＰＣ、サーバ、タブレット端末等のコンピュータ）に適用するようにしてもよい。
【符号の説明】
【０１０６】
１…自動取引装置、１０…制御部、２０…操作表示部、３０…カード処理部、４０…紙幣入出金部、５０…硬貨入出金部、６０…レシート印字部、１００…マザーボード、１０１…ＣＰＵ、１０２…ＤＩＭＭ、１０３…ＦｌａｓｈＲＯＭ、１０４…シリアルインタフェース、１０５…ビデオインタフェース、１０６…ＵＳＢインタフェース、２００…表示部、３００…入力部、４００…ＨＤＤ、４１０…パーティション、４１１…ＯＳ、４１２…アプリケーション、４１３…データ記憶領域、５００…ＤＶＤドライブ、６００…ファームウェア、６１０…ＵＥＦＩファームウェア、６１１…ＵＥＦＩ制御処理部、６１２…ＵＥＦＩ起動処理部、６１３…スイッチ、６２０…ＣＳＭファームウェア、６２２…スイッチ部、６２１…レガシー起動処理部。
【図１】
2018036717.tif 000003
【図２】
2018036717.tif 000004
【図３】
2018036717.tif 000005
【図４】
2018036717.tif 000006
【図５】
2018036717.tif 000007
【図６】
2018036717.tif 000008
【図７】
2018036717.tif 000009